(57)【特許請求の範囲】
【請求項１】
着用者の身体前側に配置される前胴周り域と、着用者の身体後側に配置される後胴周り域と、前記前胴周り域と前記後胴周り域との間に位置し、着用者の股下に配置される股下域と、を備え、
前記前胴周り域の外側縁と前記後胴周り域の外側縁とが接合されたサイド接合部と、
吸収体が厚み方向に圧搾され、前記股下域から前後方向に延びる一対の股下圧搾部と、を有するショーツ型ナプキンであって、
前記一対の股下圧搾部の間隔は、前記股下圧搾部の後端縁に向かうにつれて短くなっており、
前記股下圧搾部の後端縁は、前記後胴周り域の前記サイド接合部の前端縁よりも前側に位置し、
前記股下圧搾部の前端縁は、前記前胴周り域の前記サイド接合部の後端縁よりも前側に位置する、ショーツ型ナプキン。
【請求項２】
前記一対の股下圧搾部は、前記股下圧搾部の後端縁において連なっている、請求項１に記載のショーツ型ナプキン。
【請求項３】
前記吸収体が厚み方向に圧搾され、前記股下圧搾部の後側において前記股下圧搾部と離間して配置された後側圧搾部を有する、請求項１又は請求項２に記載のショーツ型ナプキン。
【請求項４】
前記吸収体は、前記吸収体の他の部位よりも目付けが低い低目付領域を有し、
前記低目付領域は、前記股下圧搾部の後端縁の前記幅方向外側に位置する、請求項１から請求項３のいずれかに記載のショーツ型ナプキン。
【請求項５】
一対の脚周り開口部よりも幅方向の内側に位置し、前記前後方向に沿って伸縮可能な収縮部を有する起立性のレッグサイド伸縮部を備えており、
前記レッグサイド伸縮部の立ち上がりの基端部は、前記後胴周り域の前記サイド接合部の前端縁よりも前側に位置する、請求項１から請求項４のいずれかに記載のショーツ型ナプキン。
【発明の詳細な説明】
【技術分野】
【０００１】
本発明は、ショーツ型ナプキンに関する。
【背景技術】
【０００２】
従来、フィット性を高めて、体液の漏れを抑制するショーツ型ナプキンが提供されている（例えば、特許文献１）。特許文献１のショーツ型ナプキンは、吸収体及び吸収体の肌対向面側に配置された内層シートが一体化した溝を有する。特許文献１の溝は、着用者の腹側に位置する前胴周り域と着用者の背側に位置する後胴周り域とのそれぞれに形成されている。後胴周り域の溝部の後端縁は、前胴周り域の両外側縁と後胴周り域の両外側縁とを接合したサイド接合部よりも後側に位置する（特許文献１の図１参照）。
【先行技術文献】
【特許文献】
【０００３】
【特許文献１】特開平１１−７０１４４号公報
【発明の概要】
【発明が解決しようとする課題】
【０００４】
しかし、上述のショーツ型ナプキンには、以下の問題点があった。
溝部は、吸収体と内層シートとが一体化されており、周囲と比較して剛性が高い。よって、ショーツ型ナプキンは、溝部を基点に変形し易い。特許文献１のショーツ型ナプキンは、装着時に着用者の脚によって挟まれ、股下域が着用者側に隆起し、かつ溝部を基点に変形する。ショーツ型ナプキンの後胴周り域は、溝部の後端縁を基点に変形し、溝部の後端縁が着用者から離れるように凸状に変形する。後胴周り域の凸状の変形部分が着用者の身体に沿って配置されず、フィット性が低下することがあった。
【課題を解決するための手段】
【０００５】
本出願人が鋭意研究・調査を重ねた結果、着用者の臀部の最も膨らむ部分は、後胴周り域のサイド接合部の前端縁よりも前側に位置することがわかった。よって、溝部の後端縁が後胴周り域のサイド接合部よりも後側に位置すると、溝部の後端縁による変形部分が臀部の最も膨らむ部分に沿って配置されない。臀部の膨らみに沿って吸収体が配置されないため、ショーツ形ナプキンのフィット性が低下し、漏れが生じるおそれがある。
【０００６】
本発明は、上述の課題に鑑みてなされたものであり、臀部の膨らみに沿って吸収体を配置すると共に股下域でフィット性を確保し、体液の漏れを抑制できるショーツ型ナプキンを提供することを目的とする。
【０００７】
本開示のショーツ型ナプキン（ショーツ型ナプキン１）は、着用者の身体前側に配置される前胴周り域（前胴周り域Ｓ１）と、着用者の身体後側に配置される後胴周り域（後胴周り域Ｓ２）と、前記前胴周り域と前記後胴周り域との間に位置し、着用者の股下に配置される股下域（股下域Ｓ３）と、を備え、前記前胴周り域の外側縁と前記後胴周り域の外側縁とが接合されたサイド接合部（サイド接合部２９）と、吸収体が厚み方向に圧搾され、前記股下域から前記前後方向に延びる一対の股下圧搾部（股下圧搾部８１）と、を有するショーツ型ナプキンであって、前記一対の股下圧搾部の間隔は、前記股下圧搾部の後端縁（股下圧搾部の後端縁８１Ｒ）に向かうにつれて短くなっており、前記股下圧搾部の後端縁は、前記後胴周り域の前記サイド接合部の前端縁（後サイド接合部２９２の前端縁２９２Ｆ）よりも前側に位置し、前記股下圧搾部の前端縁（股下圧搾部の前端縁８１Ｆ）は、前記前胴周り域の前記サイド接合部の後端縁（前サイド接合部２９１の後端縁２９１Ｒ）よりも前側に位置することを要旨とする。
【発明の効果】
【０００８】
本開示によれば、臀部の膨らみに沿って吸収体を配置すると共に股下域でフィット性を確保し、体液の漏れを抑制できるショーツ型ナプキンを提供することができる。
【図面の簡単な説明】
【０００９】
【図１】実施形態に係るショーツ型ナプキンの正面図である。
【図２】図１に示すショーツ型ナプキンの展開平面図である。
【図３】図２に示すＡ−Ａ断面の模式断面図である。
【図４】図２に示すＢ−Ｂ断面の模式断面図である。
【図５】吸収性本体の平面図である。
【図６】ショーツ型ナプキンの装着状態を模式的に示した図である。（ａ）は、比較例に係るショーツ型ナプキンの装着状態を示しており、（ｂ）は、実施形態に係るショーツ型ナプキンの装着状態を模式的に示した図である。
【００１０】
（１）ショーツ型ナプキンの全体構成
図１から図５を参照して、実施形態に係るショーツ型ナプキン１の全体構成について説明する。本実施形態に係るショーツ型ナプキン１は、予めパンツ型に形成されたショーツ型ナプキンである。なお、本実施の形態に係るショーツ型ナプキン１は、夜用のショーツ型ナプキンであってもよいし、昼用のショーツ型ナプキンであってもよい。  
【００１１】
図１は、実施の形態に係るショーツ型ナプキン１の正面図である。図２は、図１に示すショーツ型ナプキン１を展開した状態を示す展開平面図である。図２に示す展開平面図は、ショーツ型ナプキン１を構成する本体トップシート１１や本体バックシート１４等の皺が形成されない状態まで、伸縮性部材を伸長させた伸長状態の図である。図３は、図２に示すＡ−Ａ断面図である。図４は、図２に示すＢ−Ｂ断面図である。図５は、吸収性本体１０の平面図である。
【００１２】
ショーツ型ナプキン１は、着用者の身体前側に配置される前胴周り域Ｓ１と、着用者の身体後側に配置される後胴周り域Ｓ２と、着用者の股下に対応し、前胴周り域Ｓ１と後胴周り域Ｓ２との間に位置する股下域Ｓ３と、を有する。
【００１３】
ショーツ型ナプキン１は、着用者の身体前側と身体後側とに延びる前後方向Ｌと、前後方向に直交する幅方向Ｗと、着用者に向かう内方向Ｔ１及び内方向と反対側に向かう外方向Ｔ２に延びる厚み方向Ｔと、を有する。
【００１４】
ショーツ型ナプキン１は、吸収性本体１０と、シャーシ２０と、を備える。吸収性本体１０は、液透過性の本体トップシート１１と、液不透過性の本体フィルム１２と、本体トップシート１１と本体フィルム１２との間に配置される吸収体１３と、本体バックシート１４と、を備える。シャーシ２０は、吸収性本体１０よりも外方向Ｔ２に配置されており、外装トップシート２１と外装バックシート２２を有する。
【００１５】
図２に示す状態から、ショーツ型ナプキン１の前後方向Ｌにおける中心１ＬＣを起点に前胴周り域Ｓ１と後胴周り域Ｓ２とが重なるように折り畳み、前胴周り域Ｓ１の外側縁（幅方向の外側端）と後胴周り域Ｓ２の外側縁とを接合することにより、図１に示すショーツ型ナプキンが形成される。前胴周り域Ｓ１の外側縁（幅方向の外側端）と後胴周り域Ｓ２の外側縁とが接合されるサイド接合部２９を、図１及び図２に示す。サイド接合部２９から幅方向に延びる領域は、前胴周り域Ｓ１及び後胴周り域Ｓ２である。サイド接合部２９よりも前後方向の内側の領域は、股下域Ｓ３である。前胴周り域Ｓ１のサイド接合部２９を前サイド接合部２９１とし、後胴周り域Ｓ２のサイド接合部２９を後サイド接合部２９２とする。
【００１６】
本体トップシート１１は、吸収体１３よりも内方向Ｔ１側に位置する。本体トップシート１１には、不織布や開孔プラスチックフィルムなどの液透過性のシートなどが使用される。
【００１７】
本体フィルム１２は、吸収体１３よりも外方向Ｔ２側であって、シャーシ２０よりも内方向Ｔ１側に配置される。本体フィルム１２には、液不透過性のシートなどが使用される。
【００１８】
吸収体１３は、本体トップシート１１及び本体フィルム１２の間に設けられ、着用者からの排泄物を吸収する。吸収体１３には、粉砕パルプと高吸収性ポリマー粒子との混合物などが使用される。パルプの平均目付は、１００〜８００ｇ／ｍ２であり、高吸収性ポリマー粒子の平均目付は、０〜１００ｇ／ｍ２である。また、吸収体１３は、シート状になったエアレイドシートでもよい。
【００１９】
本実施の形態の吸収体の目付は、一定でない。吸収体１３は、吸収体の他の部位よりも目付けが低い低目付領域１６を有する（図５参照）。低目付領域１６は、吸収体の他の部位よりも吸収材料の目付けが低く構成されていればよく、吸収材料が配置されてない（目付が０である）スリットであってもよい。低目付領域１６は、吸収体１３の外側縁から幅方向の内側に延びる。
【００２０】
吸収体１３は、後述する一対の股下圧搾部８１に挟まれた領域に、周囲よりも目付が高い高目付領域１７が設けられている。また、吸収体１３は、高目付領域１７よりも目付が低く、かつ低目付領域１６よりも目付が高い中目付領域１８を有する。中目付領域の目付は、吸収体の他の部位（低目付領域、中目付領域及び高目付領域を除いた領域）の目付よりも低い。中目付領域１８は、高目付領域の前側と、一対の股下圧搾部８１の後側と、のそれぞれに設けられている。本実施の形態の高目付領域の目付は、６００ｇ／ｍ２であり、低目付領域の目付は、０ｇ／ｍ２であり、中目付領域の目付は、１５０ｇ／ｍ２であり、吸収体の他の部位（低目付領域、中目付領域及び高目付領域を除いた領域）の目付は、３００ｇ／ｍ２である。高目付領域１７の前端縁は、前側に位置する中目付領域１８の後端縁と一致し、かつ後述する前側外装トップシート２４の後端縁に一致する。高目付領域１７の後端縁は、ショーツ型ナプキン１の前後方向Ｌにおける中心１ＬＣよりも前側に位置する。なお、吸収体は、目付が一定であってもよい。
【００２１】
本体バックシート１４は、本体フィルム１２の外方向Ｔ２側と、本体トップシート１１の内方向Ｔ１側と、の両方に配置される。本体バックシート１４の幅方向Ｗの中央部は、本体フィルム１２の外方向Ｔ２側に配置される。本体バックシート１４の中央部よりも幅方向の外側は、本体フィルム１２の外側縁を起点に幅方向の内側に折り返され、本体トップシート１１の内方向Ｔ１側に配置される。本体バックシート１４には、不織布等のシートなどが使用される。
【００２２】
ショーツ型ナプキン１には、着用者の腰周りが挿入される腰周り開口部３１と、着用者の脚がそれぞれ挿入される一対の脚周り開口部３２と、が形成される。腰周り開口部３１は、シャーシ２０の前端縁２０Ｆ及びシャーシ２０の後端縁２０Ｒによって囲まれて形成されている。脚周り開口部３２の最も幅方向の内側に位置する部分は、ショーツ型ナプキン１の前後方向の中心１ＬＣよりも前側に位置する。
【００２３】
シャーシ２０は、外装トップシート２１と、外装バックシート２２と、を有する。外装バックシート２２は、外装トップシート２１の外方向Ｔ２側に配置される。シャーシ２０を構成する外装トップシート２１の幅方向の長さ及び、外装バックシート２２との幅方向の長さは、吸収性本体１０の幅方向の長さよりも長い。
【００２４】
シャーシ２０は、幅方向に伸縮する伸縮性を有する。本実施の形態においては、外装トップシート２１が、少なくとも幅方向に伸縮する伸縮性を有する不織布からなり、外装バックシート２２が、非伸縮性の不織布からなる。なお、外装トップシート２１が非伸縮性の不織布からなり、かつ外装バックシート２２が幅方向に伸縮する伸縮性を有する不織布からなる構成であってもよいし、外装トップシート２１と外装バックシート２２の両方が幅方向に伸縮する伸縮性を有する不織布からなる構成であってもよい。
【００２５】
外装トップシート２１は、前胴周り域Ｓ１側に位置する前側外装トップシート２４と、後胴周り域Ｓ２側に位置する後側外装トップシート２５と、を有する。前側外装トップシート２４と後側外装トップシート２５は、前後方向Ｌに離間している。外装バックシート２２は、前胴周り域Ｓ１、股下域Ｓ３、及び後胴周り域Ｓ２に亘って設けられている。
【００２６】
前側外装トップシート２４及び外装バックシート２２は、シャーシ２０の前端縁２０Ｆにおいて後側に折り返されている。前側外装トップシート２４及び外装バックシート２２が折り返された部分には、腰周り伸縮性部材２６が配置されている。
【００２７】
後側外装トップシート２５及び外装バックシート２２は、シャーシ２０の後端縁２０Ｒにおいて前側に折り返されている。後側外装トップシート２５及び外装バックシート２２が折り返された部分には、腰周り伸縮性部材２６が配置されている。
【００２８】
後側外装トップシート２５と外装バックシート２２との間には、脚周り伸縮性部材２７が配置されている。
【００２９】
吸収性本体１０は、本体トップシート１１及び吸収体１３が厚み方向に圧搾された圧搾部８０を有する。圧搾部８０が形成されているため、本体トップシート１１に排出された体液を、本体トップシート１１を介して吸収体１３に迅速に引き込むことができる。なお、圧搾部８０は、少なくとも吸収体１３が厚み方向に圧搾されていればよい。
【００３０】
圧搾部８０は、股下域Ｓ３から前後方向Ｌに延びる一対の股下圧搾部８１と、股下圧搾部８１の後側に位置し、かつ股下圧搾部８１と離間して配置された後側圧搾部８２と、前後方向Ｌに延びる一対の前側サイド圧搾部８４と、前後方向Ｌに延びる一対の後側サイド圧搾部８５と、を有する。
【００３１】
一対の股下圧搾部８１の間隔は、股下圧搾部８１の後端縁８１Ｒに向かうにつれて短く、かつ股下圧搾部８１の前端縁８１Ｆに向かうにつれて短くなっている。また、一対の股下圧搾部８１は、股下圧搾部８１の前端縁８１Ｆにおいて連なり、かつ股下圧搾部８１の後端縁８１Ｒにおいて連なっている。よって、本実施の形態の一対の股下圧搾部８１は、一体化しており、平面視にて環状である。なお、一対の股下圧搾部８１は、離間して配置されていてもよいし、平面視にて環状でなくてもよい。
【００３２】
股下圧搾部８１は、前後方向に連続した領域と、前後方向に不連続の領域と、を有する。前後方向に不連続の領域は、吸収体等が厚み方向に圧搾されていない。股下圧搾部８１は、部分的に圧搾されていない領域を有していてもよいし、前後方向に連続していてもよい。また、一対の股下圧搾部８１によって囲まれた領域には、幅方向に延びる圧搾部が形成されていない。
【００３３】
股下圧搾部８１は、前胴周り域Ｓ１と股下域Ｓ３に跨がって配置されている。股下圧搾部８１は、後胴周り域Ｓ２に配置されていない。よって、股下圧搾部８１の後端縁８１Ｒは、後サイド接合部２９２の前端縁２９２Ｆよりも前側に位置する。股下圧搾部８１の前端縁８１Ｆは、前サイド接合部２９１の後端縁２９１Ｒよりも前側に位置する。
【００３４】
股下圧搾部８１の前端縁８１Ｆは、ショーツ型ナプキン１の前後方向Ｌにおける中心１ＬＣよりも、前側に100mm以上180mm以下の範囲に配置される。股下圧搾部８１の前端縁８１Ｆと中心１ＬＣとの距離が100mm未満であると、股下圧搾部８１の前端縁８１Ｆと中心１ＬＣとの距離が短く、中心１ＬＣよりも前側がよれやすくなる。一方、股下圧搾部８１の前端縁８１Ｆと中心１ＬＣとの距離が180mmを超えると、吸収体の前後方向の長さが長くなり、装着時の違和感が生じ易い。また、股下圧搾部８１の後端縁８１Ｒは、ショーツ型ナプキン１の前後方向Ｌにおける中心１ＬＣよりも、後側に50mm以上150mm以下の範囲に配置される。股下圧搾部８１の後端縁８１Ｒと中心１ＬＣとの距離が50mm未満であると、中心１ＬＣよりも後側に位置する臀部までの領域がよれやすくなる。一方、股下圧搾部８１の後端縁８１Ｒと中心１ＬＣとの距離が150mmを超えると、臀部から吸収体が離れやすくなる。
【００３５】
股下圧搾部８１の後端縁８１Ｒの幅方向の外側には、低目付領域１６が形成されている。本実施の形態では、股下圧搾部８１の後端縁８１Ｒの幅方向の両外側に、それぞれ低目付領域１６が形成されている。
【００３６】
後側圧搾部８２は、吸収体１３の幅方向の略全域に配置された点状の圧搾部である。各後側圧搾部８２は、間隔を空けて配置されている。点状の後側圧搾部８２が形成された吸収体１３の後部は、幅方向全域に亘って厚み方向Ｔに押圧され、吸収体１３の後部の厚みは、比較的薄くなっている。
【００３７】
股下圧搾部８１の幅方向の外側には、一対の前側サイド圧搾部８４と、一対の後側サイド圧搾部８５と、が形成されている。前側サイド圧搾部８４は、股下圧搾部８１と離間している。後側サイド圧搾部８５は、股下圧搾部８１と離間し、かつ後側圧搾部８２と離間している。  
【００３８】
吸収性本体１０は、起立性のレッグサイド伸縮部６０を有する。レッグサイド伸縮部６０は、一対の脚周り開口部３２よりも幅方向の内側に位置し、吸収性本体１０の外側縁に設けられている。レッグサイド伸縮部６０は、吸収体１３よりも内方向Ｔ１側に配置される起立性のギャザーである。レッグサイド伸縮部６０は、本体バックシート１４と、本体バックシート１４間に配置された防漏伸縮性部材１５と、によって構成されている。
【００３９】
レッグサイド伸縮部６０は、レッグサイド伸縮部６０よりも外方向Ｔ２側に位置する本体トップシート１１等の裏面側部材に接合される接合部分６１と、裏面側部材に接合されず、防漏伸縮性部材１５によって前後方向に沿って伸縮可能な収縮部６２と、を有する。図２及び図５において、接合部分６１に斜線を付して示す。接合部分６１は、収縮部６２よりも幅方向の外側に位置する第１接合部分６１Ａと、収縮部６２よりも前後方向の両外側に位置する第２接合部分６１Ｂと、を有する。
【００４０】
裏面側部材は、レッグサイド伸縮部６０よりも外方向Ｔ２側に位置する部材であればよく、例えば、本体トップシート１１、本体フィルム１２、及び本体バックシート１４を例示できる。レッグサイド伸縮部６０は、着用時には接合部分６１を基端部として立ち上がり、収縮部６２が頂点部として着用者の肌と接触する。すなわち、接合部分６１は、レッグサイド伸縮部６０の立ち上がりの基端部となる。また、収縮部６２よりも後側に位置する第２接合部分６１Ｂは、後サイド接合部２９２の前端縁２９２Ｆよりも前側に位置する。 
【００４１】
なお、収縮部６２は、前側の第２接合部分６１Ｂと後側の第２接合部分６１Ｂの間に位置する。収縮部６２は、防漏伸縮性部材１５によって実質的に前後方向に収縮した部分であり、収縮力が発揮されない状態で防漏伸縮性部材１５が配置された部分を除く概念である。
【００４２】
本実施の形態において、吸収体の目付は、以下の方法で測定できる。目付を測定する部分を吸収性物品から切り出し、本体トップシート及び本体フィルム等、吸収体以外の部分を取り除き、吸収体の重量を測定する。吸収体の重量と目付を測定する部分の面積とに基づいて目付を算出する。
【００４３】
（２）ショーツ型ナプキンの装着状態
次いで、このように構成されたショーツ型ナプキン１の装着状態を説明する。図６（ａ）は、比較例に係るショーツ型ナプキン１００の装着状態を示す。図６（ｂ）は、本実施の形態に係るショーツ型ナプキン１の装着状態を示す。図６（ａ）及び図６（ｂ）は、図１のＢ−Ｂ断面を基準とした断面図である。比較例に係るショーツ型ナプキン１００は、本実施の形態のショーツ型ナプキン１と、股下圧搾部８１の前後方向の位置が異なる。比較例に係るショーツ型ナプキン１００の説明において、実施の形態のショーツ型ナプキン１と同様の部材については、同符号を用いて説明を省略する。
【００４４】
比較例の股下圧搾部８１の前端縁８１Ｆは、前サイド接合部２９１の後端縁２９１Ｒよりも後側に位置する。一方、本実施の形態の股下圧搾部８１の前端縁８１Ｆは、前サイド接合部２９１の後端縁２９１Ｒよりも前側に位置する。また、比較例の股下圧搾部８１の後端縁８１Ｒは、後サイド接合部２９２の前端縁２９２Ｆよりも後側に位置する。一方、本実施の形態の股下圧搾部８１の後端縁８１Ｒは、後サイド接合部２９２の前端縁２９２Ｆよりも前側に位置する。
【００４５】
装着された状態で着用者の両脚によってショーツ型ナプキンが挟まれると、ショーツ型ナプキンには、幅方向の内側に向かう力が掛かる。一対の股下圧搾部によって挟まれた領域は、着用者側に隆起する。よって、着用者の股下域に吸収体がフィットする。
【００４６】
また、一対の股下圧搾部８１によって挟まれて隆起した部分は、股下圧搾部８１に沿って前後方向に伝わる。ショーツ型ナプキン１は、股下圧搾部８１の後端縁８１Ｒを基点に変形し、股下圧搾部８１の後端縁８１Ｒが着用者から離れるように凸状に変形する。比較例に係るショーツ型ナプキン１００の股下圧搾部８１の後端縁８１Ｒは、後サイド接合部２９２の前端縁２９２Ｆよりも後側に位置する。しかし、着用者の臀部の最も膨らむ部分（図５に示すＰ１）は、後サイド接合部２９２の前端縁２９２Ｆよりも前側に位置する。よって、比較例に係るショーツ型ナプキン１００は、股下圧搾部８１の後端縁８１Ｒによる変形部分が臀部の最も膨らむ部分Ｐ１に沿って配置されない。一方、本実施の形態の股下圧搾部８１の後端縁８１Ｒは、後サイド接合部２９２の前端縁２９２Ｆよりも前側に位置する。よって、股下圧搾部８１の後端縁８１Ｒによる変形部分が臀部の最も膨らむ部分Ｐ１に沿って配置される。
【００４７】
（３）作用・効果
一対の股下圧搾部８１によって挟まれて隆起した部分は、前後方向Ｌにおいて股下圧搾部８１の前端縁８１Ｆから股下圧搾部８１の後端縁８１Ｒまで連続する。股下圧搾部８１の後端縁８１Ｒは、後サイド接合部２９２の前端縁２９２Ｆよりも前側に位置する。よって、股下圧搾部８１の後端縁８１Ｒによる変形部分が臀部の最も膨らむ部分Ｐ１に沿って配置される。臀部の膨らみに沿って吸収体１３が配置されるため、体液の後漏れを抑制できる。また、後サイド接合部２９２から幅方向に延びる領域の吸収体１３は、股下圧搾部８１を介して隆起せずに平面形状を維持し易く、着用者の腰周りにフィットし易い。その結果、着用者の腰周りに沿って吸収体１３が配置され、体液の後漏れを抑制できる。
【００４８】
また、着用者は、ショーツ型ナプキン１を引き上げる際は、一般的に前胴周り域Ｓ１を引き上げる。股下圧搾部８１の前端縁８１Ｆは、前サイド接合部２９１の後端縁２９１Ｒよりも前側、すなわち前胴周り域Ｓ１に位置する。よって、着用者がショーツ型ナプキンを引き上げる力は、前胴周り域Ｓ１を介して股下圧搾部８１に伝わる。股下圧搾部８１は、吸収体等が圧縮されており、比較的剛性が高い。そのため、ショーツ型ナプキンを引き上げる上向きの力は、股下圧搾部８１を介して吸収体１３全体に均等に掛かる。よって、吸収体１３は、装着時によれ難くなり、面形状を維持した状態で恥骨付近にフィットし易くなる。
【００４９】
一方、比較例に係るショーツ型ナプキン１００の股下圧搾部８１の前端縁８１Ｆは、前サイド接合部２９１の後端縁２９１Ｒよりも後側に位置する。よって、着用者がショーツ型ナプキンを引き上げる力は、前胴周り域Ｓ１を介して股下圧搾部８１に伝わり難い。よって、吸収体１３のよれを抑制しつつ引き上げることができず、恥骨付近のフィット性を確保しにくい。
【００５０】
加えて、一対の股下圧搾部８１間の隆起した部分の幅が臀部の最も膨らむ部分Ｐ１において広すぎると、左右の臀部の隙間に吸収体１３が配置され難く、フィット性が低下するおそれがある。しかし、一対の股下圧搾部８１の間隔が股下圧搾部８１の後端縁８１Ｒに向かうにつれて短いため、左右の臀部間の隙間に吸収体１３の隆起部分を配置し易くなる。臀部に対するフィット性を向上させ、後漏れを抑制できる。
【００５１】
一対の股下圧搾部８１が股下圧搾部８１の後端縁８１Ｒにおいて連なっているため、股下圧搾部８１の後端縁８１Ｒにおいて一対の股下圧搾部間の隆起部分の幅が広くなることを抑制でき、左右の臀部の隙間に吸収体をよりフィットさせることができる。よって、臀部に対するフィット性を更に向上させ、後漏れを低減できる。
【００５２】
吸収体１３は、股下圧搾部８１の後側に位置する後側圧搾部８２を有する。後側圧搾部８２によって、股下圧搾部８１の後側における吸収体１３の厚みが薄くなる。よって、股下域Ｓ３から後方に隆起部分が伝わることを抑えることができ、一対の股下圧搾部８１よりも後側の吸収体は、平面形状を維持し易くなる。着用者がショーツ型ナプキン１の後胴周り域Ｓ２を引き上げた際に、吸収体１３の幅方向全域に力が伝達し易くなる。また、一対の股下圧搾部８１よりも後側において吸収体の全幅で臀部に接し易くなり、後漏れを抑制できる。
【００５３】
後側圧搾部８２が設けられていることにより、後側圧搾部８２が設けられた領域の剛性が高くなり、吸収体１３が変形し難くなる。吸収体１３が平面形状を維持し易くなり、臀部に対するすれを抑制でき、また当該すれによる吸収体の型崩れを抑制できる。
【００５４】
また、例えば、後側圧搾部８２が点状でなく、面状の場合には、吸収体の後部全体の通気性が低くなり、蒸れが生じるおそれがある。しかし、後側圧搾部８２が点状であるため、吸収体１３の後部の通気性を確保し、臀部に対する蒸れを抑制できる。
【００５５】
吸収体１３は、周囲よりも目付が低い低目付領域１６を基点に変形し易く、また股下圧搾部８１の後端縁８１Ｒを基点に変形し易い。股下圧搾部８１の幅方向の外側に低目付領域１６が形成されているため、股下圧搾部８１の後端縁８１Ｒ、及び股下圧搾部８１の後端縁８１Ｒから幅方向の外側に延びる領域に、変形基点を形成し易くなる。吸収体１３の全幅において変形し易くなり、吸収体１３の全幅が臀部の膨らみに沿って配置される。よって、フィット性を向上させ、後漏れを低減できる。
【００５６】
サイド接合部２９から幅方向に延びる領域は、寝姿勢の場合に体圧がかかる。例えば、サイド接合部２９から幅方向に延びる領域にレッグサイド伸縮部６０の立ち上がりの基端部が配置されていると、レッグサイド伸縮部６０が立ち上がり難くなることがある。しかし、レッグサイド伸縮部６０の立ち上がりの基端部である第２接合部分６１Ｂが、後サイド接合部２９２の前端縁２９２Ｆよりも前側に位置するため、レッグサイド伸縮部６０の立ち上がりを阻害せず、レッグサイド伸縮部６０によって横漏れを低減できる。
【００５７】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【符号の説明】
【００５８】
１        ：ショーツ型ナプキン
１ＬＣ    ：ナプキンの前後方向の中心
１０      ：吸収性本体
１１      ：本体トップシート
１２      ：本体フィルム
１３      ：吸収体
１４      ：本体バックシート
１５      ：防漏伸縮性部材
１６      ：低目付領域
１７      ：高目付領域
１８      ：中目付領域
２０      ：シャーシ
２１      ：外装トップシート
２２      ：外装バックシート
２４      ：前側外装トップシート
２５      ：後側外装トップシート
２６      ：腰周り伸縮性部材
２７      ：脚周り伸縮性部材
２９      ：サイド接合部
２９１    ：前サイド接合部
２９２    ：後サイド接合部
３１      ：腰周り開口部
３２      ：脚周り開口部
６０      ：レッグサイド伸縮部
６１Ａ    ：第１接合部分
６１Ｂ    ：第２接合部分
６２      ：収縮部
８０      ：圧搾部
８１      ：股下圧搾部
８２      ：後側圧搾部
８４      ：前側サイド圧搾部
８５      ：後側サイド圧搾部
Ｓ１      ：前胴周り域
Ｓ２      ：後胴周り域
Ｓ３      ：股下域
Ｌ        ：前後方向
Ｔ        ：厚み方向
Ｗ        ：幅方向
【図１】
0005955941.tif 000002
【図２】
0005955941.tif 000003
【図３】
0005955941.tif 000004
【図４】
0005955941.tif 000005
【図５】
0005955941.tif 000006
【図６】
0005955941.tif 000007